(57)【特許請求の範囲】
【請求項１】
（補正後）
少なくとも全ての電源を開閉する電源スイッチ、サイリスター等の電流制御半導体、ヒーター等の抵抗負荷を直列に結線し、その電源スイッチを入れている間、その半導体のゲートに組まれたトリガー回路とタイマー回路により一定時間通電する回路に於いて、そのトリガー回路の手前に、適当な値のコンデンサー６を入れることにより、電源スイッチを入れた時、コンデンサー６が充電され出してサイリスター２のトリガー電圧に達するまでの時間はサイリスターをトリガーせず、従って電源スイッチのスパークは発生せず、充電した時は半導体のゲートに、ゼロクロストリガーと同様な電圧、電流を与えることを特徴とした回路。
【請求項２】
（補正後）
タイマー回路もそのコンデンサー６の後に入れることにより、電源スイッチを切った時にもコンデンサー６が充電されている間はタイムアップの状態を保ち、従ってサイリスターをトリガーせず、電源スイッチのスパークは発生しないことを特徴とした請求項１の回路。
【請求項３】
そのコンデンサー６の値は１〜１００マイクロファラッドである請求項１〜２の回路。
【請求項４】
タイマー回路のコンデンサー９の電荷をショートして、無くす回路を加えたことを特徴とした請求項１〜３の回路。
【請求項５】
インパルスヒートシーラーの回路である請求項１〜４の回路。
【請求項６】
短時間通電して加熱することを繰り返す、ハンダ鏝やプラスチック加工機等の熱鏝の回路である請求項１〜４の回路。
【発明の詳細な説明】
【技術分野】
【０００１】
本発明は、交流でのサイリスター制御回路のノイズ防止と、スイッチのスパーク防止に関するものである。
【背景技術】
【０００２】
インパルスヒートシーラーの電源回路では、押しボタンを押し続ける度に、短時間の通電がなされ、ヒートシーラーの必要な加熱温度が得られる。このように短時間の通電を何度も繰り返す回路では、電源スイッチがスパークにより消耗する。又タイマー回路のためにサイリスターを用いるとトリガーノイズが発生する。【０００３】
ノイズに関しては規制があるし、一方５〜１０Ａという大きな電流のスパークはスイッチの寿命に大きく影響する。従って、ノイズフィルターや、スパークキラーが必要になる。又はサイリスターのスタートを０Ｖで行う、ゼロボルトスイッチというＩＣを使う方法もある。
【先行技術文献】
【特許文献】
【０００４】
【特許文献１】特許第４９５８１３１号
【特許文献２】実開平０５−０６９９０４
【発明の概要】
【発明が解決しようとする課題】
【０００５】
ノイズフィルターはコイルとコンデンサー、スパークキラーは抵抗とコンデンサーの組み合わせであるが、電源電圧に対する耐圧、流す電流が大きいので，その形状が大きく、価格も高い。ゼロボルトスイッチは外付部品も多く、価格も更に高い。従って少ない部品、低価格で解決する方法が求められた。
【課題を解決するための手段】
【０００６】
サイリスターのゲート、タイマー回路の前に、適当な値のコンデンサーを入れる。
【発明の効果】
【０００７】
スイッチのスパークは発生しないか激減する。そしてサイリスターはゲートトリガーがゼロボルトで掛かるので、ノイズは最小になる。
【図面の簡単な説明】
【０００８】
【図１】本発明の一例のインパルスヒートシーラーの回路である。
【図２】本発明をさらに発展させた回路である。
【図３】図２の回路による発熱例を示す。
【発明を実施するための形態】
【０００９】
実施例１で、本発明の１例を図１で説明し、その発展形態を実施例２として図２と図３で説明する。
【実施例１】
【００１０】
本発明の一例のインパルスヒートシーラーの回路を図１に示す。通常の動作は電源に接続した後、押しボタン型の電源スイッチ１を押すと、サイリスター２のゲート３に電流が流れ、サイリスター２がＯＮし、ヒーター４が加熱される。そしてタイマー回路５がタイムアップすると、ゲート電流は閉じられ、それによりサイリスター２はＯＦＦとなる。あとは電源スイッチ１を離して終わりになる。【００１１】
本発明では、そのタイマー回路５の手前に、３３μＦのコンデンサー６を入れる。そしてそのコンデンサーが、ゲート３やタイマー回路５以外に放電しないようにその上手にダイオード７を入る。【００１２】
電源スイッチ１を入れてコンデンサー６が充電されると、サイリスター２のゲート３には常にその電圧が掛かる状態になる。当然その電圧はゲートトリガー電圧かそれ以上である。従って半サイクルごとにサイリスター２は言わばゼロボルトで点弧されるので、発生するノイズが非常に低くなる。【００１３】
スパークに関しては、電源スイッチ１を入れた時、その接点が接触しても、最初にコンデンサー６が充電され出して、サイリスター２のトリガー電圧に達するまでの時間、サイリスター２を経由するメインの電流が流れないので、大きなスパークは発生しない。【００１４】
通電終了時に電源スイッチ１を切ると、コンデンサー６が充電されているので、タイマー回路５がしばらくタイムアップしたままになる。即ちサイリスター２が電流を遮断している間に、電源スイッチ１の接点が離れるので、大きなスパークは発生しない。【００１５】
このコンデンサー６の値が小さければ必要なトリガー電流が流れないし、大きすぎるとトリガー電圧に達するまでの時間が掛かる。つまり押しボタンを押して電源スイッチ１を入れても、加熱がなかなか始まらない。この回路の通電時間が１〜２秒ほどなのに、０．５秒も遅れると加熱能力に影響する。従って１〜１００μＦ、好ましくは３０〜４０μＦが丁度良い。【００１６】
しかしサイリスター２はたまに自己点弧したりするので、スパークが皆無とはならない。しかし発生する回数は大幅にへるので、電源スイッチ１の損傷は非常に小さくなる。従って図には無いが、サイリスター２に抵抗とコンデンサーを並列に入れる通常の防止法を併用しても良い。
【実施例２】
【００１７】
図２の回路のように、マイナス側に設けた電源スイッチ８の開閉切り替えを利用して、電源閉時にタイマー回路５のコンデンサー９の電荷をショートする回路１０を入れる。図２では小さい点線で示す。それにより通常ならば１０秒程度はかかる復元時間を１秒以内に縮小出来る。コンデンサー９を傷めないように、通常はその回路に小さい抵抗１１を入れる。【００１８】
この回路により最初の加熱が不足な場合に、直ちにボタンを再度押して再加熱出来るので、シーラーとしての能力が非常に大きくなる。例えば今まで熱量が少なく、出来なかったお茶の袋のシールが２回、それで駄目なら３回繰り返すことで可能になる。家庭用とか小さな事業用では、数は少ないが、種々雑多な袋にシールしなければならないので非常に役に立つ。【００１９】
この回路による加熱は、加熱時間を長くすることによる加熱増強とは異なる。図３は縦軸に温度Ｔ、横軸に時間ｔをとったグラフである。単に加熱時間を長くすると、Ｈ１のような曲線になり、急激に高温になり、例えばお茶の袋の場合のように熱伝導の悪い紙の表面は焦げてしまう。しかし短い加熱を繰り返すとＨ２のように、加熱、放熱を繰り返して緩やかに上昇し、熱は紙の表面から分散し、焦げることなくシールが出来る。つまり加熱がＨ３で表す点線のように緩和される。【００２０】
本発明者による、ヒートシーラーのヒーター線をリボン線からジグザグ線にする発明は、トランスを省き、ヒーター線の伸縮装置を無くして軽量化、低価格化に貢献した。しかし唯一の欠点はヒーターの質量が小さいためオーバーヒートしやすいことであった。そのためヒーターの周囲の材料の寿命がリボン線に比べて短命であったが、この回路により加熱が緩和され、リボン線と変わらなくなった。【００２１】
この通電方法は、ヒートシーラー以外にも応用できる。例えば非常に早く加熱出来るハンダ鏝やプラスチック加工機等である。窒化アルミ等の熱伝導の非常に良い絶縁体を用いて、大きなヒーターで加熱する場合、熱がそのヒーターの周囲で飽和してしまうが、１秒程度の間隔で２〜３秒間加熱することを繰り返すことによりその熱が放熱され、非常にうまく加熱出来る。そしてその加熱を繰り返す場合にスパークやノイズを気にしなくても良いのである。【００２２】
コンデンサー９の放電はその両端の電圧が低いので、電源スイッチとは別に押しボタンスイッチ等で両端をショートすると、違う効果も出せる。加熱中にこのボタンを押すと、コンデンサー９が放電し続けて、タイマーがその間スタートしない。離すとそこからタイマーがスタートする。結果としてタイマーの時間が長くなる。つまりこの回路は図３のＨ１の曲線のような急激な加熱が出来る。アルミの厚いラミネート袋など、このような加熱が都合の良い場合がある。【００２３】
サイリスターはそのままでは半波しか制御できないが、２個使うとか、両波整流器を入れると、両波を制御出来る。従って負荷にトランスがあっても使える。又サイリスターはＰＮＰトランジスターとＮＰＮトランジスターの複合化したものでもあるので、代用できる。本発明のコンデンサー６は、そのような電流制御半導体の同様な回路に於いても、問題なく今まで述べた効果を発揮する。
【産業上の利用可能性】
【００２４】
本願のコンデンサーは容量こそ少し大きいが、耐圧が低いので、形状は非常に小さい。従って耐圧が高く、形状もかなり大きい従来のスパークキラーやノイズフィルターに比べて、場所も取らないし、価格も安い。【００２５】
タイマーのコンデンサーの回復力を変えられる回路があれば、１つのシーラーで使い方を変えるだけで良いので、非常に便利である。工場などと違い、家庭用や小事務所では必要とする熱量の違う、いろいろな袋をシールすることが必要になるが、本願によりタイマーを変えたり、シーラーを変えたりしなくても良い。【００２６】
ヒートシーラーだけでなく非常に早く加熱出来るハンダ鏝やグル―ガン等の温度の制御にも利用出来る。そして何回通電を繰り返してもスパークやノイズを気にしなくても良い
【符号の説明】
【００２７】
１    電源スイッチ
２    サイリスター
３    ゲート
４    ヒーター
５    タイマー回路
６    本発明のコンデンサー
７    ダイオード
８    電源スイッチ
９    タイマーコンデンサー
１０    ショート回路
１１    抵抗
【図１】
0006708817.tif 000002
【図２】
0006708817.tif 000003
【図３】
0006708817.tif 000004